(57)【要約】【課題】  無線リンクの瞬断を積極的に活用してデータ転送に係る処理を制御できるようにすることを目的とする。【解決手段】  無線リンクを接続した相手装置から所定時間内に複数回送信される信号の受信状態に基づいて、前記所定時間内に発生した前記無線リンクの切断の回数を判定する。そして、判定された切断の回数に応じて、前記相手装置との間のデータ転送に係る処理を制御する。【選択図】  図４
2010245837.tif 000002
【特許請求の範囲】
【請求項１】
相手装置との距離が所定の範囲内になるように近接させると前記相手装置との間で無線リンクが接続され、前記相手装置との距離が前記所定の範囲外になると前記無線リンクが切断される無線通信機能を有する情報処理装置であって、
無線リンクが接続された前記相手装置から所定時間内に複数回送信される信号を受信する受信手段と、
前記受信手段による受信状態に基づいて、前記所定時間内に発生した前記無線リンクの切断の回数を判定する判定手段と、
前記判定手段により判定された切断の回数に応じて、前記相手装置との間のデータ転送に係る処理を制御する制御手段と、
を有することを特徴とする情報処理装置。
【請求項２】
前記判定手段は更に前記所定時間内に発生した各瞬断の間隔を判定し、
前記制御手段は、前記判定手段により判定された切断の回数と各瞬断の間隔と、に基づいて、前記相手装置との間のデータ転送に係る処理を制御することを特徴とする請求項１記載の情報処理装置。
【請求項３】
前記接続手段により接続された無線リンクが維持されているかを確認するための確認信号を送信する送信手段を有し、
前記受信手段は、前記所定時間内に複数回送信した前記確認信号に対する応答信号を受信することを特徴とする請求項１又は２記載の情報処理装置。
【請求項４】
前記応答信号の受信の有無を示す応答情報から前記無線リンクの切断を検出するための応答パターンを記憶する記憶手段と、
前記応答情報と前記応答パターンとのマッチングを行うことにより、前記無線リンクの切断を検出する検出手段と、を有し、
前記判定手段は、前記検出手段による検出に基づいて、前記切断の回数を判定することを特徴とする請求項３記載の情報処理装置。
【請求項５】
画像データを記憶する画像記憶手段を有し、
前記制御手段は、前記判定手段により判定した切断の回数に応じて、前記画像記憶手段に記憶されている画像データを前記相手装置へ転送することを特徴とする請求項１から４のいずれか１項に記載の情報処理装置。
【請求項６】
前記制御手段は、前記判定手段により判定した切断の回数に応じて、前記画像記憶手段に記憶されている画像データの中から前記相手装置へ転送する画像データを選択し、選択した画像データを前記相手装置へ転送することを特徴とする請求項５記載の情報処理装置。
【請求項７】
前記制御手段は、前記判定手段により判定した切断の回数に応じて、起動するアプリケーションを選択し、選択したアプリケーションに応じたデータ転送処理を行うことを特徴とする請求項１から４のいずれか１項に記載の情報処理装置。
【請求項８】
情報処理装置であって、
相手装置との間で無線リンクを確立する確立手段と、
前記確立手段により無線リンクが確立された前記相手装置から所定時間内に複数回送信される信号を受信する受信手段と、
前記受信手段による受信状態に基づいて、前記所定時間内に発生した前記無線リンクの切断の回数を判定する判定手段と、
前記判定手段により判定された切断の回数に応じて、起動するアプリケーションを選択する選択手段と、
前記選択手段により選択したアプリケーションを起動し、該アプリケーションに応じたデータ転送処理を行う転送手段と、
を有することを特徴とする情報処理装置。
【請求項９】
相手装置との距離が所定の範囲内になるように近接させると前記相手装置との間で無線リンクが接続され、前記相手装置との距離が前記所定の範囲外になると前記無線リンクが切断される無線通信機能を有する情報処理装置の制御方法であって、
無線リンクを接続した相手装置から所定時間内に複数回送信される信号の受信状態に基づいて、前記所定時間内に発生した前記無線リンクの切断の回数を判定する判定工程と、
前記判定工程において判定された切断の回数に応じて、アプリケーションを制御する制御工程と、
を有することを特徴とする情報処理装置の制御方法。
【請求項１０】
情報処理装置の制御方法であって、
無線リンクが確立された相手装置から所定時間内に複数回送信される信号の受信状態に基づいて、前記所定時間内に発生した前記無線リンクの切断の回数を判定する判定工程と、
前記判定工程において判定された切断の回数に応じて、前記相手装置へ転送するデータを選択する選択工程と、
前記選択工程において選択したデータを前記相手装置へ転送する転送工程と、
を有することを特徴とする情報処理装置の制御方法。
【請求項１１】
請求項９又は１０記載の制御方法をコンピュータに実行させるためのプログラム。
【発明の詳細な説明】
【技術分野】
【０００１】
本発明は、情報処理装置及びその制御方法、並びに該制御方法をコンピュータに実行させるためのプログラムに関する。
【背景技術】
【０００２】
近年、近接無線通信（非接触通信）技術が広く一般に利用されるようになっている。一例として、ＲＦＩＤ（Ｒａｄｉｏ  Ｆｒｅｑｕｅｎｃｙ−Ｉｄｅｎｔｉｆｉｃａｔｉｏｎ：電波方式認識）回路を内蔵した非接触ＩＣカードが挙げられる。非接触ＩＣカードは、簡易に機器間のアクセスが可能であることの利点を活かし、電車の乗車券等において利用されている。
【０００３】
また、近接無線通信の通信方式としては、電磁誘導を利用したＮＦＣ（Ｎｅａｒ  Ｆｉｅｌｄ  Ｃｏｍｍｕｎｉｃａｔｉｏｎ）、誘導電界を利用したＴｒａｎｓｆｅｒＪｅｔ（登録商標）などがある。
【０００４】
これらの近接無線通信は、通信距離が非常に短く、通信を行う機器同士を数ｃｍ以内（例えばＮＦＣなら１０ｃｍ以内、ＴｒａｎｓｆｅｒＪｅｔなら３ｃｍ以内）に近づけると無線リンクが接続され、遠ざけると無線リンクが切断される。
【０００５】
特許文献１には、無線リンクが切断されてから所定時間経過した場合に、上位プロトコルの切断処理を行うことが開示されている。
【先行技術文献】
【特許文献】
【０００６】
【特許文献１】特開２００８−９２１３９号公報
【発明の概要】
【発明が解決しようとする課題】
【０００７】
このように、近接無線通信では、機器同士を近づける又は遠ざけるといったユーザの直感的な操作により、無線リンクを接続したり切断したりすることができる。よって、無線リンクが接続された機器同士を一旦離してから直ぐに近づけることにより、無線リンクの瞬断を意図的に発生させることができる。ここで、無線リンクの瞬断とは、無線リンクが切断されてから所定時間内（例えば２００ｍｓｅｃ以内）に無線リンクが再接続されることを示す。
【０００８】
しかしながら、従来は、意図的に発生させた無線リンクの瞬断をうまく活用して機器上のアプリケーションを制御する、といった使い道は考えられていなかった。
【０００９】
本発明は、無線リンクの切断を積極的に活用してデータ転送に係る処理を制御できるようにすることを目的とする。
【課題を解決するための手段】
【００１０】
上記課題を解決するために、本発明は、相手装置との距離が所定の範囲内になるように近接させると前記相手装置との間で無線リンクが接続され、前記相手装置との距離が前記所定の範囲外になると前記無線リンクが切断される無線通信機能を有する情報処理装置であって、無線リンクが接続された前記相手装置から所定時間内に複数回送信される信号を受信する受信手段と、前記受信手段による受信状態に基づいて、前記所定時間内に発生した前記無線リンクの切断の回数を判定する判定手段と、前記判定手段により判定された切断の回数に応じて、前記相手装置との間のデータ転送に係る処理を制御する制御手段と、を有することを特徴とする。
【００１１】
また、本発明は、情報処理装置であって、相手装置との間で無線リンクを確立する確立手段と、前記確立手段により無線リンクが確立された前記相手装置から所定時間内に複数回送信される信号を受信する受信手段と、前記受信手段による受信状態に基づいて、前記所定時間内に発生した前記無線リンクの切断の回数を判定する判定手段と、前記判定手段により判定された切断の回数に応じて、起動するアプリケーションを選択する選択手段と、前記選択手段により選択したアプリケーションを起動し、該アプリケーションに応じたデータ転送処理を行う転送手段と、
を有することを特徴とする。
【００１２】
更にまた、本発明は、相手装置との距離が所定の範囲内になるように近接させると前記相手装置との間で無線リンクが接続され、前記相手装置との距離が前記所定の範囲外になると前記無線リンクが切断される無線通信機能を有する情報処理装置の制御方法であって、無線リンクを接続した相手装置から所定時間内に複数回送信される信号の受信状態に基づいて、前記所定時間内に発生した前記無線リンクの切断の回数を判定する判定工程と、前記判定工程において判定された切断の回数に応じて、アプリケーションを制御する制御工程と、
を有することを特徴とする。
【００１３】
更にまた、本発明は、情報処理装置の制御方法であって、無線リンクが確立された相手装置から所定時間内に複数回送信される信号の受信状態に基づいて、前記所定時間内に発生した前記無線リンクの切断の回数を判定する判定工程と、前記判定工程において判定された切断の回数に応じて、前記相手装置へ転送するデータを選択する選択工程と、前記選択工程において選択したデータを前記相手装置へ転送する転送工程と、
を有することを特徴とする。
【発明の効果】
【００１４】
本発明によれば、無線リンクの切断を積極的に活用したデータ転送処理の制御を実現することができる。
【図面の簡単な説明】
【００１５】
【図１】デジタルカメラ１のブロック構成例
【図２】ディスプレイ２のブロック構成例
【図３】画像データ転送システムのシステム構成例
【図４】デジタルカメラの動作処理フローチャート
【図５】通信処理部１０９からアプリケーション処理部１１０に応答情報を通知する例
【図６】瞬断を検出する方法の一例
【図７】瞬断を検出する方法の一例
【発明を実施するための形態】
【００１６】
本実施形態における画像データ転送システムの構成を図３に示す。
【００１７】
本システムは、近接無線通信機能を備えたデジタルカメラ１とディスプレイ２とで構成される。なお、近接無線通信としては、ＮＦＣ、ＴｒａｎｓｆｅｒＪｅｔ等を用いることができるが、他の通信方式にも適用可能である。デジタルカメラ１が備えるアンテナ１０４と、ディスプレイ２が備えるアンテナ２０２との距離を数ｍｍから数ｃｍ程度の範囲内に近接させることによって無線リンクが確立（接続）され、デジタルカメラ１からディスプレイ２へ画像データを転送することができる。
【００１８】
また、ディスプレイ２はデジタルカメラ１から受信した画像データを表示部２０３に表示する表示機能と、記憶部２０４に保存（記憶）する保存機能と、を有し、夫々の機能を選択的に動作させることも並列的に動作させることもできる。
【００１９】
本実施形態では、デジタルカメラ１とディスプレイ２とを近接させることにより無線リンクを接続後、ユーザの意図的な操作により無線リンクを一時的に切断してから再度近接させて無線リンクを再接続する、という操作を所定回数行う。以降の説明では、無線リンクが切断されてから所定時間内に無線リンクが再接続することを、「無線リンクの瞬断」として説明する。無線リンクが切断されてから上記所定時間内に無線リンクが再接続されなければ、無線リンクが完全に切断されたものとして扱う。なお、瞬断か否かを判定するための上記所定時間は、デジタルカメラ１を一旦離してから再度近づける、というユーザの操作速度を考慮して設定される（例えば２００ｍｓｅｃ）。該所定時間は、デジタルカメラ１の工場出荷時に予め設定するようにしてもよいし、ユーザが設定可能な構成としてもよい。そして、このようなユーザの操作により発生した無線リンクの瞬断を検出し、検出した瞬断の特徴に応じて、デジタルカメラ１とディスプレイ間のデータ転送処理を制御する例について説明する。
【００２０】
本実施形態のデジタルカメラ１のブロック構成例を図１に示す。１０１は、被写体の光像から画像データを生成する撮像部であり、１０２は、撮像部１０１により生成された画像データ、及びその他各種情報を記憶（保存）するメモリである。
【００２１】
１０３は、近接無線通信機能を実現する無線制御部であり、１０４は近接無線通信により信号を送信し、又は受信するためのアンテナである。無線制御部１０３は、近接無線通信による無線リンクが接続状態か切断状態かを管理する。
【００２２】
１０５は、探索パケットの送信時間を計測し、送信時間が終了するとイベントを発生する探索タイマである。探索タイマ１０５により計測する時間は工場出荷時に機器に設定しておいてもよいし、ユーザが後から設定できるようにしてもよい。１０６は、探索パケットに対する探索応答パケットの受信の有無を監視し、探索応答パケットの受信状態を応答情報として瞬断判定部１０７に通知する応答監視部である。なお、探索パケットは、接続された無線リンクが維持されているか否かを確認するために送信される確認信号であり、該探索パケットを正常に受信した相手装置は、応答信号として探索応答パケットを送信するように制御される。
【００２３】
１０７は、応答監視部１０６から通知された応答情報から瞬断を検出すると共に、瞬断の特徴（瞬断回数、瞬断の間隔、並びに瞬断のパターン（リズム）等）を解析する瞬断判定部である。１０８はデジタルカメラ１全体の処理を統制する制御部である。制御部１０８は、瞬断判定部１０７により判定された瞬断の特徴に応じて、データの転送に係る処理を制御する。
【００２４】
また、無線制御部１０３と探索タイマ１０５と応答監視部１０６とによって通信処理部１０９が構成され、瞬断判定部１０７と制御部１０８とによってアプリケーション処理部１１０が構成される。
【００２５】
１１１は、ユーザが撮像指示、近接無線通信の開始指示等の各種操作を行うための操作部である。１１２は、撮像部１０１により生成された画像データ、及びユーザに対して各種操作を促すメッセージ等を表示する表示部である。
【００２６】
次に、本実施形態のディスプレイ２のブロック構成例を図２に示す。２０１は、近接無線通信機能を実現する無線制御部であり、２０２は近接無線通信による信号を送信し、又は受信するためのアンテナである。無線制御部２０１は、近接無線通信による無線リンクが接続状態か切断状態かを管理する。
【００２７】
２０３は、近接無線通信機能を介してデジタルカメラ１から転送された画像データ、及びその他各種情報を表示する表示部である。２０４は、デジタルカメラ１から転送された画像データ、及びその他各種情報を記録（保存）する記憶部である。２０５は、ディスプレイ２全体の処理を統制する制御部である。
【００２８】
なお、上記機能ブロック構成は一例であり、複数の機能ブロックが１つの機能ブロックを構成するようにしてもよいし、何れかの機能ブロックが更に複数の機能を行うブロックに分かれていてもよい。
【００２９】
本実施形態におけるデジタルカメラ１の処理フローを図４に示す。
【００３０】
デジタルカメラ１及びディスプレイ２の近接無線通信機能は無線リンク接続が可能な状態であるものとする。本処理フローが開始される段階では、デジタルカメラ１の無線制御部１０３およびディスプレイ２の無線制御部２０１が管理する無線リンク状態は切断状態である。
【００３１】
また、デジタルカメラ１が備えるメモリ１０２には、事前に撮像部１０１により撮影された画像データ、または、他の機器から近接無線通信を介して取得した画像データが保存されているものとする。
【００３２】
まず、ユーザがデジタルカメラ１の操作部１１１において近接無線通信の開始指示操作を行うと、無線制御部１０３は近接無線通信の接続処理を開始する（Ｓ１０１）。
【００３３】
ここで、ユーザがデジタルカメラ１を手に持ち、デジタルカメラ１のアンテナ１０４とディスプレイ２のアンテナ２０２とを近接させるように配置する。両アンテナの配置が近接状態になると、無線リンクが接続され、デジタルカメラ１の無線制御部１０３およびディスプレイ２の無線制御部２０１が管理する無線リンク状態は切断状態から接続状態に遷移する（Ｓ１０２）。
【００３４】
なお、ここではユーザが近接無線通信の開始指示操作を行うことにより接続処理が開始されるものとして説明したが、必ずしも該操作を行わなくても良い。例えば、デジタルカメラ１のアンテナ１０４とディスプレイ２のアンテナ２０２とを近接させることにより、自動的に無線制御部１０３及び無線制御部２０１による無線リンクの接続処理が開始されるようにしてもよい。
【００３５】
デジタルカメラ１は、無線リンク状態が接続状態に遷移すると、無線リンクを瞬断させるためのユーザ操作（以下、瞬断操作とする）を受付可能な状態になる（Ｓ１０３）。このとき、瞬断操作を受付可能であることをユーザに通知するためのメッセージを表示部１１２に表示するようにしてもよい。そしてデジタルカメラ１は、瞬断操作の受付期間を計測するために探索タイマ１０５をスタートする（Ｓ１０４）。
【００３６】
ここで、ユーザが意図的に無線リンクの瞬断を発生させるために、デジタルカメラ１をディスプレイ２から一旦離してから再度近づける、という瞬断操作を探索タイマ１０５が終了するまでの間（例えば５秒以内）に所定回数行う。そして、探索タイマ１０５が終了するまでの間に発生した瞬断の特徴に応じて、起動するアプリケーションが選択される。ここで、瞬断の特徴とは、例えば発生した瞬断の回数、各瞬断の間隔、並びに瞬断のパターン（リズム）等がある、なお、瞬断のパターンは、瞬断の回数及び間隔を用いることより判定することが可能である。
【００３７】
ここでは、探索タイマ１０５が終了するまでの間に発生した瞬断の回数に応じて、起動するアプリケーションが選択される例について説明する。例えば、瞬断が２回発生した場合、デジタルカメラ１は画像表示アプリケーションを起動し、ディスプレイ２に対して画像データを送信し、ディスプレイ２の表示部２０３に該画像データを表示させる。また、瞬断が３回発生した場合、デジタルカメラ１は画像記憶アプリケーションを起動し、ディスプレイ２に対して画像データを送信し、ディスプレイ２の記憶部２０４に該画像データを保存させる。また、瞬断が４回以上発生した場合は、デジタルカメラ１から画像データを送信し、ディスプレイ２の表示部２０３にて該画像データを送信すると共に記憶部２０４に保存させるアプリケーションを実行する。このようにして、本実施形態では、ユーザが利用したいアプリケーションに応じて、意図的に瞬断を所定回数発生させる。
【００３８】
なお、ここでは、無線リンクの接続をトリガに瞬断操作を受付可能な状態に遷移するものとして説明したが、他のトリガを用いて状態遷移を行うようにしてもよい。例えば、操作部１１１により瞬断操作受付モードへの移行指示が行われた場合に、瞬断操作を受付可能な状態に遷移するようにしてもよい。このようにすることにより、操作部１１１、表示部１１２などの通常のＵＩ（ユーザインタフェース）を用いてアプリケーションを制御する方法と、瞬断操作によりアプリケーションを制御する方法と、をユーザの意思により適宜切替えることができる。
【００３９】
デジタルカメラ１は、探索タイマ１０５がタイムアウトするまで（Ｓ１０７）、ディスプレイ２に対する探索パケットを周期的（例えば、１００ｍｓｅｃ周期）に複数回送信する（Ｓ１０５）。そしてデジタルカメラ１は、ディスプレイ２からの探索応答パケットの受信の有無を監視する（Ｓ１０６）。
【００４０】
ここで、探索パケットの送信周期は、瞬断の検出が可能な程度に適宜設定することができる。例えば、瞬断時間Ｔ秒以上の瞬断を検出するために、探索パケットの送信間隔を（Ｔ／２）秒以下にするとよい。探索パケットの送信間隔は、工場出荷時に機器に設定しておいてもよいし、ユーザが後から設定できるようにしてもよい。
【００４１】
通信処理部１０９の応答監視部１０６は、探索応答パケットの受信結果を応答情報としてアプリケーション処理部１１０に通知する（Ｓ１０８）。アプリケーション処理部１１０の瞬断判定部１０７は、通知された応答情報から瞬断を検出すると共に、瞬断の特徴を判定する（Ｓ１０９）。判定される瞬断の特徴としては、瞬断回数、瞬断間隔、瞬断のパターン（リズム）等がある。
【００４２】
ここで、通信処理部１０９の応答監視部１０６が探索応答パケットの受信結果を応答情報として、アプリケーション処理部１１０に通知するまでの処理例について図５を用いて説明する。
【００４３】
瞬断操作を受付可能な状態に遷移すると、通信処理部１０９は探索タイマ１０５をスタートさせ、探索パケットの送信を開始する。ここでは説明を簡略化するため、探索タイマ１０５がタイムアウトするまでに探索パケットを３回送信するものとする。
【００４４】
ここで、瞬断操作の受付期間内において、デジタルカメラ１のアンテナ１０４とディスプレイ２のアンテナ２０２とが近接状態でなくなるようユーザがデジタルカメラ１を動かし、また直ぐにデジタルカメラ１を動かして近接状態に配置する。このように、ユーザがデジタルカメラ１を動かすことにより、デジタルカメラ１とディスプレイ２間の無線リンクの瞬断を意図的に発生させる。
【００４５】
すると、いくつかの探索パケットがディスプレイ２に届かず、ディスプレイ２からの探索応答パケットが送信されない、もしくはディスプレイ２が探索パケットを受信できてもいくつかの探索応答パケットがデジタルカメラ１に届かない、という状況が発生する。
【００４６】
図５の例では、探索パケット（Ｆ５０１）に対する探索応答パケット（Ｆ５０２）がデジタルカメラ１では受信できず、応答監視部１０６は「受信なし」を記憶する。一方、探索パケット（Ｆ５０３、Ｆ５０５）に対する探索応答パケット（Ｆ５０４、Ｆ５０６）はデジタルカメラ１が受信できるので、応答監視部１０６は「受信あり」を記憶する。
【００４７】
応答監視部１０６は、探索応答パケットの受信の有無を応答情報として生成する（Ｆ５０７）。例えば、「受信あり」を”１”、「受信なし」を”０”とすると、”０１１”という応答情報が生成される。そして、応答監視部１０６は、生成した応答情報をアプリケーション処理部１１０に通知する（Ｆ５０８）。
【００４８】
次に、アプリケーション処理部１１０の瞬断判定部１０７が、応答監視部１０６から通知された応答情報から瞬断を検出する方法について図６、図７を用いて詳細に説明する。図６、７は、探索パケットに対する応答パケットの受信状態を示した図である。上述したように、通信処理部１０９の応答監視部１０６は、探索応答パケットの受信の有無を応答情報としてアプリケーション処理部１１０に通知する。
【００４９】
図６は、応答情報に含まれる”０”、”１”のパターンが所定のパターンと一致する場合に、瞬断の発生を検出する例である。例えば、瞬断を検出するための応答パターンとして”１００１”をメモリ１０２に記憶しておき、応答情報の中に該応答パターンが含まれるか、及び該応答パターンがいくつ含まれるかを判定する。図６の例では応答情報が“１１００１１００１１０１”であり、上記応答パターンとマッチングを取ることにより、瞬断判定部１０７は瞬断が２回発生したと判定する。この方法を用いる場合、応答情報の中に探索応答パケットを１回だけ受信しない箇所（例えば“１０１”）があったとしても、その箇所を瞬断とは判定しない。よって、例えば発生した瞬断が所定の間隔であれば所定のアプリケーションを起動させる（所定の間隔で瞬断が発生するようにユーザがデジタルカメラ１を動かす）、といった制御を行う場合に特に有効である。なお、瞬断を検出するための応答パターンを複数用意しておき、いずれかの応答パターンと一致した場合に瞬断が発生したと判定するようにするとよい。
【００５０】
図７は、応答情報のうち“０”から“１”に切替わる箇所で瞬断が発生したと判定する例である。言い換えると、瞬断を検出するための応答パターンとして“０１”を使用した場合の例である。図７の例では応答情報が“１１００１１０００１０１”であり、“０”から“１”に切替わる箇所が３箇所検出されるため、瞬断判定部１０７は瞬断が３回発生したと判定する。この方法を用いる場合、探索応答パケットを連続して複数回受信しない場合であっても、発生した瞬断は１回と判定される。つまり、デジタルカメラ１をディスプレイ２から一旦離し、再度近づけるという操作を行えば、デジタルカメラ１をディスプレイ２から離している時間の長短に関係なく、発生した瞬断は１回と判定する。従って、例えば発生した瞬断の回数に応じて起動するアプリケーションを変更する、といった制御を行う場合に特に有効である。
【００５１】
なお、図６、７で説明した例は瞬断を検出する方法の一例であり、他の方法を用いてもよいし、図６、図７の方法を組み合わせて瞬断を検出するようにしてもよい。これらの方法を適応的に使用することにより、デジタルカメラ１を動かす速度の個人差や動かすタイミングの差違等の影響があっても適切に瞬断を検出することができる。
【００５２】
ここで図４の説明に戻る。Ｓ１０９にて瞬断の特徴が判定されると、アプリケーション処理部１１０の制御部１０８は、無線リンクの接続状態が維持されているか否かを確認し（Ｓ１１０）、接続が維持されていなければ切断処理を行い（Ｓ１１１）、処理を終了する。なお、無線リンクの接続状態が維持されているか否かは、応答監視部１０６により送信された応答情報を解析することにより確認することができる。例えば、応答情報の最後が”０”であれば（最後に送信した探索パケットに対する探索応答パケットの受信が無い場合）、無線リンクが切断されたと判断することができる。
【００５３】
Ｓ１１０にて、無線リンクの接続が維持されていると判断した場合、制御部１０８は、判定された瞬断の特徴に応じてアプリケーションを制御する（Ｓ１１２）。例えば、瞬断操作の受付期間内に検出された瞬断の回数が２回であれば、画像表示アプリケーションを起動してデジタルカメラ１からディスプレイ２へ画像データを転送すると共に（Ｓ１１３）、該画像データの表示要求も送信する（Ｓ１１４）。そして、デジタルカメラ１から送信された画像データと該画像データの表示要求を受信したディスプレイ２は、受信した画像データを表示部２０３にて表示する。また、瞬断操作の受付期間内に検出された瞬断の回数が３回であれば、画像記憶アプリケーションを起動してデジタルカメラ１からディスプレイ２へ画像データを転送すると共に（Ｓ１１３）、該画像データの保存要求も送信する（Ｓ１１４）。そして、デジタルカメラ１から送信された画像データと該画像データの保存要求を受信したディスプレイ２は、受信した画像データを記憶部２０４に記憶する。
【００５４】
このように、本実施形態によれば、ユーザが意図的に発生させた無線リンクの瞬断を検出すると共に瞬断の特徴を判定することができ、判定された瞬断の特徴に応じてアプリケーションを制御することができる。よって、ユーザは利用したいアプリケーションに応じて瞬断操作の速度やリズムを変えればよいので、複雑な操作が不要となり、ユーザの利便性が向上する。従って、機器間の距離を少し離すだけで無線リンクが切断されるという近接無線通信の特徴を生かし、ユーザの直感的な操作を反映したＵＩが実現可能となる。
【００５５】
また、本実施形態では、瞬断の検出、及び瞬断の特徴判定を瞬断判定部１０７で行っていたが、応答監視部１０６が瞬断の特徴の判定まで行い、該判定結果に応じて制御部１０８がアプリケーションを制御するようにしてもよい。
【００５６】
また、本実施形態では、瞬断操作受付期間内に周期的に送信した探索パケットに対する探索応答パケットの受信状態に基づいて、デジタルカメラは無線リンクの瞬断の特徴を判定していたが、必ずしも探索パケットを送信しなくてもよい。例えば、瞬断操作受付期間内にディスプレイが周期的に探索パケットを複数回送信するようにし、デジタルカメラは該探索パケットの受信状態に基づいて、無線リンクの瞬断の検出、及び瞬断の特徴を判定するようにしてもよい。
【００５７】
また、本実施形態では、デジタルカメラとディスプレイを用いたシステムについて説明したが、携帯電話、プリンタ、デジタルビデオカメラ、ＰＣなど、近接無線通信機能を備える情報処理装置であれば本発明は適用可能である。
【００５８】
また、本実施形態では、所定時間内に発生した瞬断の特徴に応じて、画像表示アプリケーション又は画像記憶アプリケーションを起動する例について説明したが、他のアプリ−ションを起動するようにしてもよい。起動するアプリケーションの種類は、システムを構成する機器の組合せに応じて適宜選択することができる。例えば、デジタルカメラとプリンタの組合せの場合、発生した瞬断の特徴に応じて、画像印刷アプリケーションを実行するようにしてもよい。
【００５９】
また、実行するアプリケーションは同じであっても、発生した瞬断の特徴に応じて、実行する処理を変更するようにしてもよい。例えば、発生した瞬断の回数に応じて、転送する画像データを切替えるようにしてもよい。画像表示アプリケーションの場合を例に挙げると、デジタルカメラの表示部１１２に複数の画像が表示され、そのうち１枚が選択されているとする。そして、その時発生した瞬断の回数に応じて、選択中の画像のみディスプレイに転送してディスプレイに表示させるか、表示中の全ての画像を転送してディスプレイに表示させるかを切替える、という方法が考えられる。また、画像記憶アプリケーションの場合、発生した瞬断の回数に応じて、表示部１１２に表示中の画像のみディスプレイに転送して記憶させるか、未転送画像全てをディスプレイに転送して記憶させるかを切替える、という方法が考えられる。また、デジタルカメラとプリンタの組合せの場合、表示部１１２に表示中の画像のみを印刷するか、予めユーザにより印刷予約されていた画像を印刷するか、またはメモリに記憶してある全ての画像を印刷するか、を発生した瞬断の回数に応じて切替えてもよい。このように、アプリケーションの制御の方法としては様々な方法が考えられる。
【００６０】
また、本実施形態では、デジタルカメラ側で瞬断の特徴を判定し、アプリケーションを制御する場合について説明したが、ディスプレイ側で瞬断の特徴を判定し、アプリケーションを制御するようにしても構わない。この場合、ディスプレイは、デジタルカメラから送信される探索パケットの受信状態に基づいて、無線リンクの瞬断の特徴を判定することができる。
【００６１】
なお、上記説明では、所定時間内に発生した無線リンクの瞬断の回数、瞬断のパターン等を判定する、として説明したが、所定時間内に発生した無線リンクの切断の回数、切断のパターンを判定する、と言い換えることもできる。
【００６２】
また、本実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行する。これによっても、本発明の目的が達成されることは言うまでもない。
【符号の説明】
【００６３】
１  デジタルカメラ
２  ディスプレイ
１０１  撮像部
１０２  メモリ
１０３  無線制御部
１０４  アンテナ
１０５  探索タイマ
１０６  応答監視部
１０７  瞬断判定部
１０８  制御部
１０９  通信処理部
１１０  アプリケーション処理部
１１１  操作部
１１２  表示部
２０１  無線制御部
２０２  アンテナ
２０３  表示部
２０４  記憶部
２０５  制御部
【図１】
2010245837.tif 000003
【図２】
2010245837.tif 000004
【図３】
2010245837.tif 000005
【図４】
2010245837.tif 000006
【図５】
2010245837.tif 000007
【図６】
2010245837.tif 000008
【図７】
2010245837.tif 000009